【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
ＵＲＬ情報とＩＤ情報を含むデータコードが予め印刷されたコンテンツ配信用の媒体
（以下、「配信媒体」）を介在させてコンテンツの配信を行うシステムであって、
販売者が使用する端末装置（以下、「販売者端末」）および利用者が使用する端末装置（以下、「利用者端末」）と通信ネットワークを介して接続されるとともに、配信媒体管理用のデータベースにアクセス可能であり、
前記販売者端末の識別情報或いは販売者認証用情報を前記データベースに登録する販売者登録手段と、
前記識別情報或いは販売者認証用情報が登録された販売者端末によって、利用者による購入前の配信媒体のＩＤ情報が送信された時、前記データベースにおいて該ＩＤ情報と対応する配信媒体を販売可能状態にする商品登録手段と、
前記識別情報或いは販売者認証用情報が登録された販売者端末によって、販売可能状態であり且つ利用者による購入前の配信媒体のＩＤ情報が送信された時、前記データベースにおいて該ＩＤ情報と対応する配信媒体を販売不可状態にする商品登録解除手段と、を備え、
前記商品登録手段は、販売不可状態であり且つ利用者による購入前の配信媒体のＩＤ情報が送信された時、該ＩＤ情報と対応する配信媒体を販売可能状態にするとともに、連続する複数のＩＤ情報を特定可能とする情報が送信された時、該当するＩＤ情報に対応するすべての配信媒体を販売可能状態とし、
前記商品登録解除手段は、連続する複数のＩＤ情報を特定可能とする情報が送信された時、該当するＩＤ情報に対応するすべての配信媒体を販売不可状態とすることを特徴とするコンテンツ配信システム。
【請求項２】
ライブを含むさまざまなイベントの会場で収録された音声或は映像データをコンテンツ格納データベースにアップロードするシステムと連携し、
販売可能状態にある配信媒体を購入した利用者の利用者端末より、該配信媒体のデータコードから抽出されたＩＤ情報を受信すると、前記コンテンツ格納データベースにアップロードされている音声或は映像データを前記利用者端末に配信することを特徴とする請求項１に記載のコンテンツ配信システム。
【請求項３】
前記配信媒体には、データコードを付すことが可能で且つ平面的か立体的かは問わない物品が含まれることを特徴とする請求項１または請求項２のいずれかに記載のコンテンツ配信システム。
【請求項４】
ＵＲＬ情報とＩＤ情報を含むデータコードが予め印刷された配信媒体を介して利用者端末からのコンテンツダウンロード要求を処理する方法であって、
販売者端末および利用者端末と通信ネットワークを介して接続されるとともに、配信媒体管理データベースにアクセス可能なサーバが、
販売者端末の識別情報或いは販売者認証用情報を前記配信媒体管理データベースに登録するステップと、
前記識別情報或いは販売者認証用情報が登録された販売者端末によって、利用者による購入前の配信媒体のＩＤ情報が送信された時、前記配信媒体管理データベースにおいて該ＩＤ情報と対応する配信媒体を販売可能状態にするステップと、
前記識別情報或いは販売者認証用情報が登録された販売者端末によって、販売可能状態であり且つ利用者による購入前の配信媒体のＩＤ情報が送信された時、前記配信媒体管理データベースにおいて該ＩＤ情報と対応する配信媒体を販売不可状態にするステップと、を実行し、
前記配信媒体を販売可能状態にするステップにおいて、販売不可状態であり且つ利用者による購入前の配信媒体のＩＤ情報が送信された時、該ＩＤ情報と対応する配信媒体を販売可能状態にするとともに、連続する複数のＩＤ情報を特定可能とする情報が送信された時、該当するＩＤ情報に対応するすべての配信媒体を販売可能状態とし、
前記配信媒体を販売不可状態にするステップにおいて、連続する複数のＩＤ情報を特定可能とする情報が送信された時、該当するＩＤ情報に対応するすべての配信媒体を販売不可状態とすることを特徴とするコンテンツ配信方法。
【手続補正２】
【補正対象書類名】明細書
【補正対象項目名】発明の名称
【補正方法】変更
【補正の内容】
【発明の名称】コンテンツ配信システムおよびコンテンツ配信方法
【手続補正３】
【補正対象書類名】明細書
【補正対象項目名】０００８
【補正方法】変更
【補正の内容】
【０００８】
前記の目的を達するために、請求項１に係る発明は、
ＵＲＬ情報とＩＤ情報を含むデータコードが予め印刷されたコンテンツ配信用の媒体
（以下、「配信媒体」）を介在させてコンテンツの配信を行うシステムであって、
販売者が使用する端末装置（以下、「販売者端末」）および利用者が使用する端末装置（以下、「利用者端末」）と通信ネットワークを介して接続されるとともに、配信媒体管理用のデータベースにアクセス可能であり、
前記販売者端末の識別情報或いは販売者認証用情報を前記データベースに登録する販売者登録手段と、前記識別情報或いは販売者認証用情報が登録された販売者端末によって、利用者による購入前の配信媒体のＩＤ情報が送信された時、前記データベースにおいて該ＩＤ情報と対応する配信媒体を販売可能状態にする商品登録手段と、前記識別情報或いは販売者認証用情報が登録された販売者端末によって、販売可能状態であり且つ利用者による購入前の配信媒体のＩＤ情報が送信された時、前記データベースにおいて該ＩＤ情報と対応する配信媒体を販売不可状態にする商品登録解除手段と、を備え、前記商品登録手段は、販売不可状態であり且つ利用者による購入前の配信媒体のＩＤ情報が送信された時、該ＩＤ情報と対応する配信媒体を販売可能状態にするとともに、連続する複数のＩＤ情報を特定可能とする情報が送信された時、該当するＩＤ情報に対応するすべての配信媒体を販売可能状態とし、前記商品登録解除手段は、連続する複数のＩＤ情報を特定可能とする情報が送信された時、該当するＩＤ情報に対応するすべての配信媒体を販売不可状態とすることを特徴とする。
【手続補正４】
【補正対象書類名】明細書
【補正対象項目名】０００９
【補正方法】変更
【補正の内容】
【０００９】
「ＵＲＬ情報」とは、本発明のシステムはサーバが管理するウェブサイトへのアクセスによって実現されるが、このウェブサイトのインターネット上の所在を表す情報である。
「ＩＤ情報」とは、コンテンツ配信用の配信媒体を識別するための情報であり、このＩＤ情報に基づいて、正当に販売された配信媒体であるか否かの検証即ち商品認証と、その利用者が正当な利用者であるか否かの検証即ち利用者認証と、ダウンロード可能なコンテンツの特定とが行える。このＩＤ情報はＵＲＬ情報に付加されてサーバに送信される。下記の実施形態では、ＵＲＬ情報の引数とすることによりＩＤ情報を付加しているが、クッキー変数として送信する等の方法で付加してもよい。
「データコード」とは、バーコードと呼ばれる１次元コードや、２次元コードと呼ばれる縦と横の両方向に意味のある符合など、カメラ付き携帯で撮像することにより情報が得られる表示であれば、何でもよい。下記の実施形態では、ＱＲコード（登録商標）を利用している。
「コンテンツ」とは、音楽、写真、映像、小説、ゲームなどインターネットで配信可能なデジタルデータであれば何でもよい。
「端末装置」とは、例えば、スマートフォンと呼ばれる多機能携帯電話や従来タイプの携帯電話がある。下記の実施形態では、携帯端末としてスマートフォンを利用することを前提に説明しているが、これは本発明の出願時（平成２４年）、スマートフォンが従来の携帯電話を凌駕する勢いで普及しつつあるからである。しかし、本発明は従来の携帯電話を用いて実施することは勿論可能である。さらに、カメラ機能、インターネット接続機能、音声・映像の視聴機能を備え、サーバ側で当該携帯端末の個体認証が可能であれば、スマートフォンや従来の携帯電話に限らず、今後出現しうる新たな種類の携帯端末でもよい。
【手続補正５】
【補正対象書類名】明細書
【補正対象項目名】００１０
【補正方法】変更
【補正の内容】
【００１０】
これにより、コンテンツはサーバからダウンロードするので、コンテンツを格納したＣＤ−ＲやＵＳＢメモリーを販売する必要はなく、サーバからのダウンロードに必要な情報が印刷等された紙カードのような媒体を販売すればよい。よって、製造コストは安価であり、たとえ売れ残りが発生しても損失額は無視しうる。
さらに本発明によれば、携帯端末をシステムに事前に登録している者のみが配信媒体を販売可能状態にできる。そのため、カードを不正に取得した者による販売を防止できる。

【手続補正６】
【補正対象書類名】明細書
【補正対象項目名】００１１
【補正方法】変更
【補正の内容】
【００１１】
また、請求項１に係る発明によれば、ＩＤ情報が連続している複数の配信媒体を一括して販売可能状態あるいは販売不可状態とすることができる。大規模なコンサートなどで大量の配信媒体を販売するときでも短時間で処理できる。
【手続補正７】
【補正対象書類名】明細書
【補正対象項目名】００１２
【補正方法】変更
【補正の内容】
【００１２】
さらに、請求項１に係る発明によれば、販売者は端末識別情報以外の認証用情報も登録しているならば、端末識別情報を登録していないパソコンなどの他の情報処理装置によっても販売可能状態あるいは販売不可状態にできる。
「販売者認証用情報」とは、販売者を特定できる情報のうち販売者端末の識別情報を除く情報である。下記の実施形態の販売者ＩＤとパスワードの組み合わせが一例である。
【手続補正８】
【補正対象書類名】明細書
【補正対象項目名】００１３
【補正方法】変更
【補正の内容】
【００１３】
請求項２に係る発明は、請求項１に記載のシステムであって、
ライブを含むさまざまなイベントの会場で収録された音声或は映像データをコンテンツ格納データベースにアップロードするシステムと連携し、
販売可能状態にある配信媒体を購入した利用者の利用者端末より、該配信媒体のデータコードから抽出されたＩＤ情報を受信すると、前記コンテンツ格納データベースにアップロードされている音声或は映像データを前記利用者端末に配信することを特徴とする。
これにより、イベント、例えばライブの終了時に観客に販売することができ、観客は帰り道でもなお、ライブの延長にあってその感動に浸ることができる。
なお、アップロードされるデータには適宜音声以外のデジタルデータなども含まれる。
請求項３に係る発明は、請求項１または２のいずれかに記載のシステムであって、
前記配信媒体には、データコードを付すことが可能で且つ平面的か立体的かは問わない物品が含まれることを特徴とする。
「配信媒体」の一例として、下記の実施形態で「ダウンロード用カード」を挙げているが、カード状に限らず映画や展覧会のパンフレット、絵本の表紙など、データコードの印刷が可能なものであれば何でもよい。印刷可能であればマグカップのような立体的な物品を配信媒体とすることもできる。データコードを物品に直接印刷してもよいが、データコードを印刷したシールなどを物品に貼付してもよい。配信媒体はＣＤやＤＶＤなどと同様に有形物としてＣＤショップなどで購入でき、販促品や贈答品とすることもできる。
【手続補正９】
【補正対象書類名】明細書
【補正対象項目名】００１４
【補正方法】変更
【補正の内容】
【００１４】
請求項４のコンテンツ配信方法に関する発明も本発明の目的を達成するものである。